(57)【特許請求の範囲】
【請求項１】
建物の壁部に設けた外サッシの屋内側に内サッシを設ける断熱構造であって、
前記外サッシの外サッシ枠の屋内側に固定された外開口枠と、内周面に前記内サッシが取り付けられる内開口枠とを有し、
前記内開口枠で囲まれた内開口領域の外周縁は、前記外開口枠で囲まれた外開口領域の外周縁よりも外側に位置し、
前記内開口枠は、断熱層を備えるふかし壁に支持されている、ことを特徴とする断熱構造。
【請求項２】
前記内開口枠は、前記外開口枠の外周側に設けられる、請求項１に記載の断熱構造。
【請求項３】
前記内サッシは、当該内サッシのガラスを保持する障子枠が樹脂製或いは木製である請求項１又は２に記載の断熱構造。
【請求項４】
前記内サッシは、二層以上のガラスで構成される複層ガラスを有する請求項１〜３のいずれか一項に記載の断熱構造。
【請求項５】
前記複層ガラスは、少なくとも一層のガラスが低放射性ガラスである請求項４に記載の断熱構造。
【請求項６】
請求項１〜５のいずれか一項に記載の断熱構造を備える建物。
【請求項７】
建物の壁部に設けた外サッシの屋内側に内サッシを設ける断熱改修方法であって、
前記外サッシの外サッシ枠の屋内側に固定された外開口枠の屋内側に、内周面に前記内サッシが取り付けられる内開口枠を、前記内開口枠で囲まれた内開口領域の外周縁が、記外開口枠で囲まれた外開口領域の外周縁よりも外側になるように設置する工程と、
前記内開口枠を、断熱層を備えるふかし壁によって支持する工程と、を備える断熱改修方法。
【発明の詳細な説明】
【技術分野】
【０００１】
本発明は、建物の壁部に設けた外サッシの屋内側に内サッシを設ける断熱構造に関する。
【背景技術】
【０００２】
従来、建物の壁部に設けた屋外側サッシ（外サッシ）の屋内側に屋内側サッシ（内サッシ）を新たに設けることで、断熱性能を向上させることができる断熱構造が知られている（例えば特許文献１参照）。ここで外サッシの外サッシ枠には、特許文献１の図１に示されるように、Ｌ字状に曲げた屋内側アングル部に対し、外開口枠（特許文献１では、図１、２に示された既存額縁６）を設けておくことが一般的であって、内サッシは通常、既に設けられている外開口枠の内周面に取り付けられる。
【先行技術文献】
【特許文献】
【０００３】
【特許文献１】特開２００７−３３２６５１号公報
【発明の概要】
【発明が解決しようとする課題】
【０００４】
しかしながら、特許文献１に示されるような従来の断熱構造では、外開口枠の内周面側に内サッシの枠（樹脂サッシ枠７）が設けられ、更にその内側に内サッシ障子（引戸本体９）が設けられることになるので、内サッシのガラス面積は外サッシのガラス面積よりも小さくなってしまい、十分な採光が得られずに室内空間の明るさが損なわれるという問題があった。
【０００５】
本発明は、このような問題点を解決することを課題とするものであり、優れた断熱性能が得られるうえ、採光性能にも優れる断熱構造を提供することを目的とする。
【課題を解決するための手段】
【０００６】
本発明は、建物の壁部に設けた外サッシの屋内側に内サッシを設ける断熱構造であって、前記外サッシの外サッシ枠の屋内側に固定された外開口枠と、内周面に前記内サッシが取り付けられる内開口枠とを有し、前記内開口枠で囲まれた内開口領域の外周縁は、前記外開口枠で囲まれた外開口領域の外周縁よりも外側に位置し、前記内開口枠は、断熱層を備えるふかし壁に支持されている、ことを特徴とする。
また、本発明は、上記断熱構造を備える建物である。
更に、本発明は、建物の壁部に設けた外サッシの屋内側に内サッシを設ける断熱改修方法であって、前記外サッシの外サッシ枠の屋内側に固定された外開口枠の屋内側に、内周面に前記内サッシが取り付けられる内開口枠を、前記内開口枠で囲まれた内開口領域の外周縁が、記外開口枠で囲まれた外開口領域の外周縁よりも外側になるように設置する工程と、前記内開口枠を、断熱層を備えるふかし壁によって支持する工程と、を備える。
【０００７】
また、前記内開口枠は、前記外開口枠の外周側に設けられることが好ましい。
【０００８】
また、前記内サッシは、当該内サッシのガラスを保持する障子枠が樹脂製或いは木製であることが好ましい。
【０００９】
また、前記内サッシは、二層以上のガラスで構成される複層ガラスを有することが好ましい。
【００１０】
また、前記複層ガラスは、少なくとも一層のガラスが低放射性ガラスであることが好ましい。
【発明の効果】
【００１１】
本発明では、二重構成になる外サッシ及び内サッシによって優れた断熱性能が得られるうえ、外開口枠で囲まれた外開口領域の外周縁に対し、内開口枠で囲まれた内開口領域の外周縁が外側に位置するようにしているので、従来のものに対して内サッシのガラス面積を大きくすることが可能になり、優れた採光性能を得ることができる。
【００１２】
壁部の屋内側に、内開口枠を有するとともに断熱層を備えるふかし壁を設ける場合は、ふかし壁によって建物の断熱性能を更に向上させることができる。
【００１３】
内サッシのガラスを保持する障子枠が樹脂製或いは木製である場合は、熱伝導率の低い樹脂或いは木材によって建物の断熱性能を一層向上させることができる。ここで、樹脂製或いは木製の障子枠は強度が比較的低くなるため、これを障子枠の枠幅を増やして補おうとすると、内サッシのガラス面積が減少して採光が不足することになる。しかし本発明では、従来の断熱構造に対して内サッシのガラス面積を大きくすることができるので、障子枠の強度を維持しつつ必要な採光を得ることができる。
【００１４】
内サッシが、二層以上のガラスで構成される複層ガラスを有する場合は、建物の断熱性能をより向上させることができる。また、複層ガラスを用いる場合は、ガラスの枚数が増加することで可視光の透過率が小さくなって採光量が減少してしまうものの、本発明では従来の断熱構造に対して内サッシのガラス面積を大きくすることができるので、採光量が減少する影響を抑制することができる。
【００１５】
複層ガラスのうち、少なくとも一層のガラスが低放射性ガラスである場合は、建物の断熱性能をより向上させることができるものの、可視光の透過率が小さくなるので採光量が減少することになる。本発明では従来の断熱構造に対して内サッシのガラス面積を大きくすることができるので、採光量が減少する影響を抑制することができる。
【図面の簡単な説明】
【００１６】
【図１】本発明に従う断熱構造の一実施形態を模式的に示す横断面図である。
【図２】本発明に従う断熱構造の一実施形態を屋内側から見た正面図（内サッシは不図示）である。
【発明を実施するための形態】
【００１７】
以下、図面を参照しつつ、本発明に従う断熱構造の一実施形態を詳細に説明する。なお、本明細書において「左」、「右」とは、屋内側から屋外側を見た場合を基準とする。
【００１８】
本実施形態の断熱構造は、既存の建物の壁部１に形成した建物開口部２に対して屋外側サッシ（外サッシ）３が設けられていて（本実施形態では、引き違い形式の腰高窓として設けられている）、改修により、この壁部１の屋内側に新たにふかし壁４を設けるとともに、新たに屋内側サッシ（内サッシ）５を設けて建物の断熱性能の向上を図ったものである。
【００１９】
壁部１は、軽量気泡コンクリートである外壁パネル１ａと、断熱材１ｂと、木下地１ｃと、石膏ボード１ｄとによって構成されている。
【００２０】
外サッシ３は、建物開口部２に装着される外サッシ枠３ａを備えている。外サッシ枠３ａは、上枠、下枠、及び左右に設けられる一対の縦枠を方形に枠組みしたものである。上枠、下枠、及び縦枠は、例えばアルミニウム等の金属で形成されるものや、塩化ビニルやＡＢＳ等の合成樹脂で形成されるもの、若しくは木製のもの、又はこれらを組み合わせたもの等、種々のものが適用可能である。また、図示のように外サッシ枠３ａには、横断面形状がＬ字状になる屋内側アングル部３ａ１が設けられている。
【００２１】
屋内側アングル部３ａ１の外周側には、外サッシ３から屋内側に突出する外開口枠３ｂが設けられている。外開口枠３ｂは、例えば塗装仕上げやラミネート仕上げされた木質部材の他、木質下地材に対して壁紙が巻き込まれたものであってもよい。
【００２２】
また、外サッシ３は、外サッシ枠３ａ内に引き違い自在に納められる一対の外サッシ障子３ｃを備えている。外サッシ障子３ｃは、例えば金属や合成樹脂、若しくは木製又はこれらの組み合わせによって形成される、上枠、下枠、及び左右の縦枠を方形に枠組みした障子枠（外サッシ障子枠）３ｃ１と、外サッシ障子枠３ｃ１内に納められる外サッシガラス３ｃ２とを備えている。本実施形態の外サッシガラス３ｃ２は、一層のガラスから構成される単層ガラスであるが、二層以上のガラスで構成される複層ガラスであってもよい。
【００２３】
ふかし壁４は、改修により、既存の壁部１の石膏ボード１ｄの屋内側に設けられている。
ふかし壁４は、既存の壁部１に固定した木下地４ｂと、木下地４ｂの間に配置された断熱層４ｄと、木下地４ｂに固定した石膏ボード４ｃとによって構成されている。断熱層４ｄを構成するものとしては、例えばフェノールフォームやグラスウール、ロックウール等が挙げられるが、他にも種々のものが適用可能である。
【００２４】
内開口枠４ａは、ふかし壁４に支持されており、外開口枠３ｂの屋内側、かつ外開口枠３ｂの外周側に設けられる。内開口枠４ａは、外開口枠３ｂと同様に、塗装仕上げやラミネート仕上げされた木質部材の他、木質下地材に対して壁紙が巻き込まれたものであってもよい。
【００２５】
内サッシ５は、内開口枠４ａの内周面に取り付けられる内サッシ枠５ａを備えている。内サッシ枠５ａは、例えば金属や合成樹脂、若しくは木製又はこれらの組み合わせによって形成される、上枠、下枠、及び左右の縦枠を方形に枠組みしたものである。
【００２６】
また内サッシ５は、内サッシ枠５ａ内に引き違い自在に納められる一対の内サッシ障子５ｂを備えている。内サッシ障子５ｂは、例えば金属や合成樹脂、或いはこれらの組み合わせによって形成される、上枠、下枠、及び左右の縦枠を方形に枠組みした障子枠（内サッシ障子枠）５ｂ１と、内サッシ障子枠５ｂ１内に納められる内サッシガラス５ｂ２とを備えている。内サッシガラス５ｂ２は、一層のガラスから構成される単層ガラスでもよいが、本実施形態では断熱性能をより高めるために、二層のガラスを有し、ガラス間に空気層を設けた複層ガラスを用いている。なお複層ガラスは、三層以上のガラスを有するものであってもよい。なお空気層は、空気をそのまま充填したものの他、アルゴンガスやクリプトンガスを充填したものでもよい。また空気層に替えて真空層を設けてもよい。更に本実施形態では、少なくとも一層のガラスが低放射性ガラスであって、断熱性能を一層高めている。
【００２７】
ここで、図２に示すように外開口枠３ｂで囲まれた領域を外開口領域Ｘとし、内開口枠４ａで囲まれた領域を内開口領域Ｙとする場合、内開口領域Ｙの外周縁Ｙ１は、外開口領域Ｘの外周縁Ｘ１よりも外側に位置するように設けられている。
【００２８】
このような構成になる断熱構造にあっては、内サッシが外開口枠の内周面に取り付けられている従来のものよりも内サッシガラス５ｂ２の面積を大きくすることができるので、優れた採光性能を得ることができる。なお、内サッシ５には比較的重量の大きくなる複層ガラスを用いているため、この複層ガラスを保持する内サッシ障子枠５ｂ１の枠幅は、強度を確保するために、単層ガラスを保持する外サッシ障子枠３ｃ１の枠幅よりも大きくなる。しかし本発明によれば、上述したように内サッシガラス５ｂ２の面積を増すことができるので、内サッシ障子枠５ｂ１の強度を維持しつつ必要な採光を得ることができる。
【００２９】
また、二重構成になる外サッシ３と内サッシ５とによって、屋外と屋内との熱の伝達が抑えられるので、優れた断熱性能を得ることができる。樹脂製或いは木製の内サッシ枠５ａを用いる場合は、熱伝導率の低い樹脂或いは木材によって、より優れた断熱性能を得ることができる。加えて本実施形態では、断熱層４ｄを備えるふかし壁４を設けているので、断熱性能を更に向上させることができる。
【００３０】
本発明に従う断熱構造は、本実施形態に限定されるものではなく、特許請求の範囲に従う範囲で種々の変更が可能である。例えば上述の実施形態では、既存の外サッシの屋内側に内サッシを新たに設けているが、本発明において時間的な順序は必須なものではなく、例えば新築の建物に対して外サッシ及び内サッシを同時期に設ける場合も含まれる。
【符号の説明】
【００３１】
１：壁部
２：建物開口部
３：外サッシ
３ａ：外サッシ枠、３ａ１：屋内側アングル部
３ｂ：外開口枠
３ｃ：外サッシ障子、３ｃ１：外サッシ障子枠、３ｃ２：外サッシガラス
４：ふかし壁
４ａ：内開口枠
４ｂ：木下地
４ｃ：石膏ボード
４ｄ：断熱層
５：内サッシ
５ａ：内サッシ枠
５ｂ：内サッシ障子、５ｂ１：内サッシ障子枠、５ｂ２：内サッシガラス
Ｘ：外開口領域、Ｘ１：外開口領域の外周縁
Ｙ：内開口領域、Ｙ１：内開口領域の外周縁
【図１】
0006403531.tif 000002
【図２】
0006403531.tif 000003